(57)【要約】【目的】要介護者が横臥した状態で介護人が楽な姿勢で介護を行うことができ、しかも介護人による補助なしに要介護者が自ら立ち上がり得る簡便な介護用ベッドを提供する。【構成】下部フレーム１によりベッド本体３が水平状にして昇降可能に支持される介護用ベッドである。ベッド本体３に取り付けられて使用者の臀部を支持する中央レスト部６、該中央レスト部の一端側で使用者の上半身を支持すると共にベッド本体３の降下動作に連動して倒伏姿勢から起立姿勢に変換する上体レスト部５、及び中央レスト部６の他端側で使用者の下腿部を支持する下腿レスト部７とを備える。下腿レスト部７は、ベッド本体３の降下動作に連動して中央レスト部６の下方に滑り込むスライド板７Ａを有し、そのスライド板７Ａが中央レスト部６の下方に滑り込むことにより、使用者が下肢を鋭角状に折り曲げて中央レスト部６の下方位置で足を着地させることが許容される。【選択図】図２
2006212112.tif 000002
【特許請求の範囲】
【請求項１】
下部フレームによりベッド本体が水平状にして昇降可能に支持される介護用ベッドであり、前記ベッド本体に取り付けられて使用者の臀部を支持する中央レスト部と、該中央レスト部の一端側で使用者の上半身を支持すると共に前記ベッド本体の降下動作に連動して倒伏姿勢から起立姿勢に変換する上体レスト部と、前記中央レスト部の他端側で使用者の下腿部を支持する下腿レスト部とを備え、その下腿レスト部は使用者が下肢を鋭角状に折り曲げて前記中央レスト部の下方位置で足を着地させることを許容するために前記ベッド本体の降下動作に連動して前記中央レスト部の下方に滑り込むスライド板を有することを特徴とする介護用ベッド。
【請求項２】
下腿レスト部はスライド板の上部で中央レスト部に連なる可撓性の上敷板を含み、下部フレームにはベッド本体の降下時に前記上敷板の一端をスライド板の下方で中央レスト部側に引き込む誘引手段が設けられることを特徴とする請求項１記載の介護用ベッド。
【請求項３】
中央レスト部はその下方へのスライド板の滑り込みにより上体レスト部側の一端部を支点として他端側が上下に揺動する揺動板を含み、その揺動板によりベッド本体の降下中に使用者の上腿部が迫り上げられるようにしたことを特徴とする請求項１、又は２記載の介護用ベッド。
【発明の詳細な説明】
【技術分野】
【０００１】
本発明は、主として身障者や病弱の高齢者などの要介護者を対象とする介護用ベッドに係わり、特に要介護者が身体機能を回復するために自立歩行することを支援する介護用ベッドに関する。
【背景技術】
【０００２】
一般に、身障者や病弱の高齢者をはじめ、術後の入院患者などは床内での生活を余儀なくされるが、寝たきりの時間が長くなると身体機能の低下が進行するので、筋力の衰えを回復させたり、大脳に刺激を与えるためには歩行訓練が極めて有効であるとされている。
【０００３】
しかし、身体に大きな機能障害を抱えた者では、自ら起き上がることはできないし、食事、排泄、入浴などの際にも身内や専門の介護士による介護を必要とする。
【０００４】
従来、そのような要介護者を対象として、要介護者をベッド脇に配した湯船や車椅子の位置に移動させるための介護用リフトや、リクライニング機能を有した介護用ベッドなどの種々の介護用機器類が実用化されている。
【０００５】
特に、要介護者が立ち上がる際の負担を軽減する介護用ベッドとして、背部フレームと座部フレームと下腿部フレームとを含む折り曲げ可能な床フレーム体を備え、その床フレーム体がフラットな状態から折れ曲がった状態に変化し、折れ曲がった状態で要介護者の足が着地するようにしたものが知られる（例えば、特許文献１）。
【０００６】
【特許文献１】実開平６−６４６３５号公報
【発明の開示】
【発明が解決しようとする課題】
【０００７】
しかしながら、一般に介護用ベッドは介護人による介護負担を軽減させるために床面の高さが通常のベッドよりも高く設定されるのに対し、特許文献１のように床フレーム体を折り曲げただけで足が着地するものではフラット状態における床フレーム体の高さが低くなり、このため要介護者を抱え上げたり、オムツの交換などに際して介護人は無理な姿勢を余儀なくされるという問題がある。
【０００８】
又、要介護者の臀部を支持する水平状の座部フレームに対し、下腿部フレームが下方に直角に折れ曲がるので、要介護者が立ち上がる際には身体の重心が座部フレーム上にあって足の踏ん張りが利かず、介護人の補助なしには立ち上がることはできない。
【０００９】
更に、特許文献１に明確な記載はないが、この種のベッドは背部フレームや下腿部フレームの回動運動を個別にモータで制御するようにしているのでコスト高になるという欠点がある。
【００１０】
本発明は以上のような事情に鑑みて成されたものであり、その主たる目的は要介護者が横臥した状態で介護人が楽な姿勢で介護を行うことができ、しかも介護人による補助なしに要介護者が自ら立ち上がり得る簡便な介護用ベッドを提供することにある。
【課題を解決するための手段】
【００１１】
本発明は上記目的を達成するため、下部フレームによりベッド本体が水平状にして昇降可能に支持される介護用ベッドであり、前記ベッド本体に取り付けられて使用者の臀部を支持する中央レスト部と、該中央レスト部の一端側で使用者の上半身を支持すると共に前記ベッド本体の降下動作に連動して倒伏姿勢から起立姿勢に変換する上体レスト部と、前記中央レスト部の他端側で使用者の下腿部を支持する下腿レスト部とを備え、その下腿レスト部は使用者が下肢を鋭角状に折り曲げて前記中央レスト部の下方位置で足を着地させることを許容するために前記ベッド本体の降下動作に連動して前記中央レスト部の下方に滑り込むスライド板を有することを特徴とする。
【００１２】
加えて、下腿レスト部はスライド板の上部で中央レスト部に連なる可撓性の上敷板を含み、下部フレームにはベッド本体の降下時に前記上敷板の一端をスライド板の下方で中央レスト部側に引き込む誘引手段が設けられることを特徴とする。
【００１３】
更に、中央レスト部はその下方へのスライド板の滑り込みにより上体レスト部側の一端部を支点として他端側が上下に揺動する揺動板を含み、その揺動板によりベッド本体の降下中に使用者の上腿部が迫り上げられるようにしたことを特徴とする。
【発明の効果】
【００１４】
本発明によれば、ベッド本体が昇降可能とされることから、ベッド本体の上昇によりベッドの使用者たる要介護者を高い位置に横臥させたまま、衣類の着替えや体の汗拭きといった世話を腰を屈めず楽な姿勢で行うことができる。このため介護人の肉体的負担を軽減することができる。
【００１５】
特に、ベッド本体の降下時には、上体レスト部が起立しながら下腿レスト部を構成するスライド板が中央レスト部の下方に滑り込み、これによって使用者が下肢を鋭角状に折り曲げて中央レスト部の下方位置で足を着地させることを許容されることから、介護人の助けを借りずに使用者（要介護者）自ら立ち上がることができる。このため、要介護者自ら歩行訓練を積極的に行って身体機能の低下を早期に回復させることに大きく貢献する。
【００１６】
更に、上体レスト部に起立動作やスライド板の動作がベッド本体の降下動作に連動することから、多数のモータを用いず低コスト化を図ることができる。
【００１７】
加えて、下腿レスト部がスライド板上に配される上敷板を備えることから、段差のないフラット面を形成することが可能であり、しかもベッド本体の降下時に上敷板の一端がスライド板の下方で中央レスト部側に引き込まれるようにしていることから、上敷板が使用者の足の踏み場を覆ってしまうことを防止できる。
【００１８】
又、中央レスト部が揺動板を有し、その揺動板が中央レスト部の下方へのスライド板の滑り込みにより上体レスト部側の一端部を支点として他端側が上下に揺動することから、ベッド本体の降下中に使用者の上腿部を迫り上げて使用者の臀部が下腿レスト部側に滑り降りる危険性を払拭できる。
【発明を実施するための最良の形態】
【００１９】
以下、図面に基づいて本発明を詳しく説明する。先ず、図１〜図５により本発明に係る介護用ベッドの基本構造を説明すれば、１は断面凹字形の下部フレームであり、この下部フレーム１は、両側面に長さの等しい平行リンク２Ａ，２Ｂを有してベッド本体３を水平状にして昇降可能に支持する平行クランク機構を構成する。
【００２０】
ベッド本体３も断面凹字形の構造物であり、その両側面には平行リンク２Ａ，２Ｂの各一端が接続される。特に、このベッド本体３には床板４が配され、その床板４により介護を必要とする使用者Ｍ（要介護者）の身体が支持されるようにしてある。
【００２１】
床板４は、使用者の上半身（頭部及び背中）を支持する上体レスト部５、使用者の臀部を支持する中央レスト部６、及び使用者の下腿部を支持する下腿レスト部７から構成される。このうち、中央レスト部６はベッド本体３の上部に一体として取り付けられ、該中央レスト部６の一端側に上体レスト部５が段差なく連なるようにしてある。尚、本例において、中央レスト部６はベッド本体３に固着されるが、上体レスト部との結節点Ｐ１をベッド本体３に接続し、その結節点Ｐ１を回転支点として他端側が上下に揺動するようにしてもよい。
【００２２】
又、上体レスト部５はベッド本体３の上部に載置され、中央レスト部との結節点Ｐ１を回転支点として他端側が揺動するようにしてある。特に、上体レスト部５は、その左右両側が平行リンク２Ａ，２Ｂの間に設けられる中間リンク２Ｃを介して下部フレーム１と連結される。尚、中間リンク２Ｃと平行リンク２Ａ，２Ｂの揺動半径は同一に設定されるのであり、このため平行リンク２Ａ，２Ｂの揺動運動によりベッド本体３が水平状態を保って昇降するとき、中間リンク２Ｃを介して上体レスト部５が揺動する。
【００２３】
詳しくは、ベッド本体３が上昇端の位置にあって上体レスト部５は図１のように水平状に倒伏しており、この状態で平行リンク２Ａ，２Ｂを図１の反時計方向に揺動させることにより、ベッド本体３が降下しながら、その降下動作に連動して上体レスト部５が中央レスト部との結節点Ｐ１を回転支点に揺動して図１に示す倒伏姿勢から図２に示す起立姿勢に変換するようになっている。
【００２４】
因みに、上体レスト部５は中央レスト部６に連結することに限らず、その一端を中央レスト部６に近接してベッド本体３に枢着してもよいが、この場合も平行リンク２Ａ，２Ｂと中間リンク２Ｃの揺動半径を一致させることが肝要である。又、ベッド本体３が上昇端にあって床板４は図１のようにフラット状となるが、このときの床板４の高さは６０〜７０ｃｍに設定されるのであり、これによれば横臥した使用者の抱え上げや衣類の着替えといった世話を介護人が楽な姿勢で行うことができる。
【００２５】
ここで、ベッド本体３の昇降動作は、減速機付きモータなどを用い、その駆動軸を平行リンク２Ａ，２Ｂと中間リンク２Ｃの何れか一つの支点軸Ｐ２〜Ｐ４に直結するなどして行うことが可能であるが、平行リンク２Ａ，２Ｂがベッド本体３に対して傾きを生じたときには、ベッド本体３から平行リンクの各支点軸Ｐ２，Ｐ３に大きな捩りモーメントが作用し、これによってベッド本体３が急速に降下する虞があるので、本例では降下時のベッド本体３と干渉しない上体レスト部５側における左右一対のリンク２Ａ，２Ａを図３のように共通の支点軸Ｐ２で繋ぎ、その支点軸Ｐ２の中央にウォームホイール８を固着し、これにウォーム９を噛合わせ、その回転軸とモータ１０の駆動軸との間にチェーン１１を巻き掛けた構成とされる。これによれば、ベッド本体３が急速降下することがなく、ベッド本体３が上昇端及び下降端に到達したときにはこれをロックすることができる。尚、図３において、ウォーム９およびウォームホイール８は図示せぬギアボックスに収容され、そのギアボックスは下部フレーム１の底部にボルトなどにて堅固に固定される。
【００２６】
一方、図１において、下腿レスト部７は、スライド板７Ａとその上方に配される上敷板７Ｂとの二層構造とされる。このうち、スライド板７Ａはベッド本体３の長手方向に沿って移動可能とされるもので、その一端側は中央レスト部６の下方でベッド本体３内に設けられる左右一対のレール１２（図３、図４参照）で摺動自在に支持されており、該スライド板７Ａの他端には上敷板７Ｂを下方に折り返すためのガイドローラ１３が取り付けられる。
【００２７】
特に、スライド板７Ａと上体レスト部５は、２つのリンク１４Ａ，１４Ｂから成る屈伸アーム１４により連結される。係る屈伸アーム１４は２つのリンク１４Ａ，１４Ｂが結節点Ｐ５の位置で屈曲可能とされるもので、これを構成する一方のリンク１４Ａは上体レスト部５の裏面中央部に固着され、他方のリンク１４Ｂはその一端が回転支点Ｐ６としてスライド板７Ａに枢着される。しかして、係る屈伸アーム１４によれば、ベッド本体３の降下動作に連動してスライド板７Ａを中央レスト部６の下方に滑り込ませることができる。
【００２８】
つまり、ベッド本体３の降下により上体レスト部５が上記の如く倒伏姿勢から起立姿勢に変換するとき、これにリンク１４Ａが追従して他方のリンク１４Ｂとの結節点Ｐ５を下方に押し込むために、屈伸アーム１４が全体として図２のように屈曲しながらスライド板７Ａを中央レスト部６側に引き込むようになる。
【００２９】
尚、ベッド本体３とスライド板７Ａには、屈伸アーム１４の屈曲動作を阻害せぬよう図１、図４、図５の如くスリット状の切欠１５，１６が形成される。
【００３０】
又、上敷板７Ｂは可撓性を有する簀状の板材であり、その一端は中央レスト部６に段差なく連ねられ、他の一端にはワイヤなどの線状材１７が接続される。
【００３１】
ここで、下部フレーム１内には、ベッド本体３の降下時に上敷板７Ｂの一端をスライド板７Ａの下方で中央レスト部６側に引き込む誘引手段として、線状材１７を巻き取る巻胴１８とこれを回転させるためのモータ１９が設けられ、そのモータ１９の駆動によりベッド本体３の降下時には線状材１７に続いて上敷板７Ｂが中央レスト部６側に引き込まれて巻胴１８に巻き取られる構成としてある。尚、モータ１９はベッド本体３の上昇時には上敷板７Ｂを巻き解す方向に回転駆動されるが、その正逆駆動はベッド本体３を昇降させるための駆動源（図３のモータ１０）と同調して行われる。
【００３２】
しかして、ベッド本体３の降下動作に連動して、スライド板７Ａが中央レスト部６の下方へ滑り込みつつ、上敷板７Ｂの一端がスライド板７Ａの下方で中央レスト部６側に引き込まれて巻胴１８に巻き取られることにより、使用者Ｍは図２のように下肢を鋭角状に折り曲げて中央レスト部６の下方位置で足を下部フレーム１の底部もしくは該下部フレーム１の設置面に着地させることを許容されるのであり、このため使用者Ｍは身体の重心を前方に移して介護人の助けを借りずに自ら立ち上がることが可能となる。又、図２に示す状態では食事をすることもできる。
【００３３】
尚、図４において、２０はモータ１９との間にチェーンを巻き掛けるためのスプロケット、２１はベッド本体３が降下端に達したときにこれを支持する受座である。
【００３４】
以上、本発明に係る介護用ベッドの基本構造について説明したが、上体レスト部５、中央レスト部６、及び下腿レスト部を構成する上敷板７Ｂの各上面には図示せぬ柔軟なマットが取り付けられる。尚、それら床板４上に市販のマットレスを配置するようにしてもよいが、この場合には、スライド板７Ａが中央レスト部６の下方に滑り込んだときに係るマットレスの一端側が使用者の足場を覆ってしまうことがないように、マットレスを中央レスト部６と下腿レスト部７との境界で切り離し、ベッド本体３の昇降動作に際して下腿レスト部７上のマットレスを予め排除できるようにすることが好ましい。又、上記例のように下腿レスト部７をスライド板７Ａと上敷板７Ｂの二層構造にすれば、中央レスト部６と下腿レスト部７とを段差なく接続できるので好ましいが、係る下腿レスト部７をスライド板７Ａのみで構成し、その上にマットを配して該マットをベッド本体３の昇降動作に際して排除するようにしてもよい。
【００３５】
次に、上記のような介護用ベッドに基づく変更例を図６〜図８により説明する。尚、上記例と変更なき部分には同一符号を付して詳細な説明は省略する。
【００３６】
ここに、本例では中央レスト部６が固定板６Ａと揺動板６Ｂとの二層構造とされる。固定板６Ａは、ベッド本体３の上部に一体的に取り付けられ、その一端側に上体レスト部５が連ねられると共に、他端側に上敷板７Ｂが連ねられる構成としてある。尚、本例において、固定板７Ａはベッド本体３に固着されるが、上体レスト部５との結節点Ｐ５をベッド本体３に接続し、その結節点Ｐ５を回転支点として他端側が上下に揺動するようにしてもよい。又、上体レスト部５は固定板６Ａに連結することに限らず、その一端を固定板６Ａに近接してベッド本体３に枢着してもよい。
【００３７】
一方、揺動板６Ｂは、固定板６Ａ上にあって上体レスト部５側の一端がヒンジ２２により固定板６Ａに接続され、他端側（下腿レスト部７側の一端）が上下に揺動する構成とされる。
【００３８】
特に、揺動板６Ｂにおける下腿レスト部７側の一端とスライド板７Ａはスイングアーム２３により連接され、ベッド本体３の降下動作に連動してスライド板７Ａが中央レスト部６の下方へ滑り込むことにより、揺動板６Ｂが上体レスト部５側の一端部（ヒンジ２２の部分）を回転支点として他端側を上下に揺動させるようにしてある。これによれば、ベッド本体３の降下中において、揺動板６Ｂ上に着座する使用者Ｍの上腿部が図７のように迫り上げられるために、上体レスト部５の起立動作によって使用者Ｍの臀部が下腿レスト部７側に滑り落ちることを防止することができる。尚、本例では揺動板６Ｂの上面に図示せぬマットが配される。
【００３９】
ここで、スイングアーム２３はベッド本体３の降下中に立ち上がり動作から倒伏動作に移行し、ベッド本体３の降下終了時点（本例において上体レスト部５が垂直の状態）では、揺動板６Ｂが図８のように固定板６Ａ上に重なって上体レスト部５と直交するようになっている。
【００４０】
尚、揺動板６Ｂは、スイングアーム２３が直立したとき（本例において上体レスト部５が４５度傾斜したとき）に傾きが最大となる。又、本例において、スイングアーム２３は屈伸アーム１４を構成するリンク１４Ｂの両側にあって各一端がスライド板７Ａに枢着され、そのスライド板７Ａと上敷板７Ｂおよび固定板６Ａにはスイングアーム２３の動作を阻害せぬよう図示せぬスリットが形成されるが、上敷板７Ｂは省略してもよいし、これを揺動板６Ｂに連ねるようにしてもよい。
【図面の簡単な説明】
【００４１】
【図１】本発明に係る介護用ベッドの基本構造を示す側面図（ベッド本体の上昇時の状態）
【図２】ベッド本体が降下した状態を示す説明図
【図３】同ベッドの部分断面図
【図４】同ベッドの部分断面図
【図５】ベッド本体の平面図
【図６】本発明に係る介護用ベッドの変更例を示す側面図（ベッド本体の上昇時の状態）
【図７】ベッド本体の降下中の状態を示す説明図
【図８】ベッド本体が降下した状態を示す説明図
【符号の説明】
【００４２】
１  下部フレーム
２Ａ，２Ｂ  平行リンク
２Ｃ  中間リンク
３  ベッド本体
４  床板
５  上体レスト部
６  中央レスト部
６Ａ  固定板
６Ｂ  揺動板
７  下腿レスト部
７Ａ  スライド板
７Ｂ  上敷板
１０  モータ
１４  屈伸アーム
１７  線状材
１８  巻胴
１９  モータ
２３  スイングアーム
【図１】
2006212112.tif 000003
【図２】
2006212112.tif 000004
【図３】
2006212112.tif 000005
【図４】
2006212112.tif 000006
【図５】
2006212112.tif 000007
【図６】
2006212112.tif 000008
【図７】
2006212112.tif 000009
【図８】
2006212112.tif 000010